(57)【要約】【課題】張力によるユニットの回転力を低減でき、捻れにくい平型ケーブルを提供する。【解決手段】複数本の絶縁線心２を撚り合わせてユニット３とし、そのユニット３を複数本並列に配置すると共にこれらユニット３をシース４で被覆した平型ケーブル１において、各ユニット３の絶縁線心２の撚り方向をＳＺ撚りに形成し、これらユニット３を並列に配置したものである。【選択図】図１
2014032931.tif 000002
【特許請求の範囲】
【請求項１】
複数本の絶縁線心を撚り合わせてユニットとし、そのユニットを複数本並列に配置すると共にこれらユニットをシースで被覆した平型ケーブルにおいて、
前記各ユニットの絶縁線心の撚り方向をＳＺ撚りに形成し、これらユニットを並列に配置したことを特徴とする平型ケーブル。
【請求項２】
前記絶縁線心が、１ピッチ毎にＳＺ方向に撚り合わされ、そのＳＺピッチを揃えて前記ユニットが配置された請求項１記載の平形ケーブル。
【発明の詳細な説明】
【技術分野】
【０００１】
本発明は、移動用の平型ケーブルに係り、特に良好な耐捻れ性を有する平型ケーブルに関するものである。
【背景技術】
【０００２】
図３に示すように、平型ケーブル３１は、絶縁線心２を複数本撚り合わせたものをユニット３２、３３とし、そのユニット３２、３３を複数本並列に配置すると共にこれらユニット３２、３３をシース４で被覆して形成される。
【０００３】
通常、ユニット３２、３３の絶縁線心２は、右又は左に撚り合わされるため、布設の張力により平型ケーブル３１が捻れないように、右撚り（Ｚ撚り）のユニット３３と、左撚り（Ｓ撚り）のユニット３２とを組み合わせて並列配置することによりケーブル全体の捻れを防止していた。
【０００４】
また、特許文献１には、ユニットの数を奇数とし、中央にＳＺ撚りのユニットを用い、左右に撚り方向が反対のユニットを用いることで、左右のユニットの撚り力を相殺させる平型ケーブルが記載されている。
【先行技術文献】
【特許文献】
【０００５】
【特許文献１】特開２０００−２２２９４６号公報
【発明の概要】
【発明が解決しようとする課題】
【０００６】
しかしながら、上述の平型ケーブル３１は、いずれもＳ撚り又はＺ撚りのユニット３２、３３を用いており、個々のユニット３２、３３は張力を受けたとき回転力を発生させるものであるため、回転力がユニット３２、３３で異なる場合等には平型ケーブル３１が捻れる可能性があり、改善の余地が残されているという課題があった。
【０００７】
そこで、本発明の目的は、上記課題を解決し、張力によるユニットの回転力を低減でき、捻れにくい平型ケーブルを提供することにある。
【課題を解決するための手段】
【０００８】
上記課題を解決するために本発明は、複数本の絶縁線心を撚り合わせてユニットとし、そのユニットを複数本並列に配置すると共にこれらユニットをシースで被覆した平型ケーブルにおいて、前記各ユニットの絶縁線心の撚り方向をＳＺ撚りに形成し、これらユニットを並列に配置したものである。
【０００９】
前記絶縁線心が、１ピッチ毎にＳＺ方向に撚り合わされ、そのＳＺピッチを揃えて前記ユニットが配置されるとよい。
【発明の効果】
【００１０】
本発明によれば、ユニットの回転力を低減でき、捻れにくくできる。
【図面の簡単な説明】
【００１１】
【図１】実施の形態に係る平型ケーブルの説明図である。
【図２】他の実施の形態に係る平型ケーブルの説明図である。
【図３】従来の平型ケーブルの説明図である。
【発明を実施するための形態】
【００１２】
本発明に係る平型ケーブルを添付図面に基づいて説明する。
【００１３】
図１に示すように、平型ケーブル１は、複数本の絶縁線心２を撚り合わせたものを１つのユニット３とし、そのユニット３を複数本（本実施の形態では５本）並列に配置すると共にこれらユニット３をシース４で被覆して形成される。
【００１４】
絶縁線心２は、導体５上に絶縁体６を設けたものからなる。導体５は、銅、銅合金等の金属からなり、例えば断面積が０．７５ｍｍ2程度の集合撚り導体からなる。絶縁体６は、天然ゴム、ＥＰゴム、又はポリ塩化ビニル等の絶縁性の樹脂からなる。絶縁体６の厚さは、例えば、０．４ｍｍ〜１．０ｍｍ程度に設定されている。
【００１５】
ユニット３は、それぞれ介在７の外周に複数本（本実施の形態では６本）の絶縁線心２をＳＺ撚りして形成されている。すなわち、ユニット３の撚り方向は全てＳＺ撚りに統一されている。これにより、いずれのユニット３が張力を受けても回転力が発生することはなく、平型ケーブル１が捻れることはない。また、各絶縁線心２は、１ピッチ毎に撚り方向を切り替えるようにＳＺ方向に撚り合わされている。巻き方向が切り替わる点８を多くでき、ユニット３に回転力が発生するのをより効果的に防ぐことができる。またさらに、各ユニット３は、そのＳＺピッチを揃えるように配置されている。具体的には、各ユニット３は、Ｓ方向に撚り合わされた部分９同士を隣接させると共に、Ｚ方向に撚り合わされた部分１０同士を隣接させるように配置されている。
【００１６】
また、ユニット３は、平型ケーブル１の中央に位置するものと、その両側に位置するものとが、間隔を隔てて配置されており、その間隔に位置するシース４には、溝１１が形成されている。
【００１７】
シース４は、クロロプレンゴム、ポリ塩化ビニルなどの樹脂からなる。シース４の両側端は、円弧状に形成されており、平型ケーブル１の屈曲を妨げないようになっている。
【００１８】
次に本実施の形態の作用を述べる。
【００１９】
平型ケーブル１が軸方向の張力を受けた場合、各ユニット３の絶縁線心２も軸方向に引っ張られる。これにより、絶縁線心２の巻き方向が切り替わる点８には、絶縁線心２を真っ直ぐに伸ばす方向の力が作用する。巻き方向が切り替わる点８では絶縁線心２がこの力により周方向に微動し、これによって絶縁線心２の長さが僅かに延び、ユニット３に作用する張力が吸収される。また、Ｓ巻きからＺ巻きに切り替わる点８と、Ｚ巻きからＳ巻きに切り替わる点８とでは絶縁線心２の微動方向が逆であるため、ユニット３にはほとんど回転力が発生せず、平型ケーブル１が捻れることはない。
【００２０】
このように、各ユニット３の絶縁線心２の撚り方向をＳＺ撚りに形成し、これらユニット３を並列に配置したため、張力によるユニット３の回転力を大幅に低減でき、平型ケーブル１を捻れにくいものにできる。そして、平型ケーブル１を、捻れや反りがなく、表面が平らなものにできる。
【００２１】
また、絶縁線心２が、１ピッチ毎にＳＺ方向に撚り合わされ、そのＳＺピッチを揃えてユニット３が配置されるものとしたため、張力によるユニット３の回転力をさらに大幅に低減できる。
【００２２】
次に他の実施の形態について述べる。
【００２３】
図２に示すように、他の実施の形態に係る平型ケーブル２１は、補強線２２を有する点、ユニット２３を構成する絶縁線心２の数が異なる点で上述の実施の形態と相違する。上述の実施の形態と同様の構成については同符号を付し、説明を省略する。
【００２４】
ユニット２３は、それぞれ介在２４の外周に複数本（本実施の形態では８本）の絶縁線心２をＳＺ撚りして形成されている。また、各絶縁線心２は、１ピッチ毎に撚り方向を切り替えるようにＳＺ方向に撚り合わされており、各ユニット３は、そのＳＺピッチを揃えるように配置されている。
【００２５】
また、ユニット２３は、両側に位置するものと、これらの間に位置するものとが間隔を隔てて配置されており、その間隔に位置するシース４には、溝２５が形成されると共に補強線２２が設けられている。補強線２２は、引張強度に優れた金属、樹脂等の素材からなり、平型ケーブル２１に作用する軸方向の張力を受けるようになっている。具体的には、補強線２２は、ピアノ線、硬鋼線、ステンレス鋼線などの線材からなる。また、補強線２２は、すずめっきや亜鉛めっきなどのめっきが表面に施されているとよい。
【００２６】
このように、ユニット３間に補強線２２を設けるものとすると、平型ケーブル２１に作用する軸方向の張力を補強線２２で受けることができ、張力によるユニット３の回転力をさらに低減でき、平型ケーブル２１を捻れにくいものにできる。
【００２７】
なお、各絶縁線心２は、１ピッチ毎にＳＺ方向に撚り合わされているものとしたが、これに限るものではない。複数ピッチ毎にＳＺ方向に撚り合わされるものとしてもよい。
【００２８】
また、各ユニット３、２３は、絶縁線心２のＳＺピッチを揃えるように配置されるものとしたが、隣接するユニット３同士でＳＺピッチが互い違いとなるように配置してもよく、巻き方向が切り替わる点８が軸方向にずれるように配置してもよい。
【００２９】
また、ユニット３は、介在７、２４を有しないものであってもよい。
【符号の説明】
【００３０】
１  平型ケーブル
２  絶縁線心
３  ユニット
４  シース
５  導体
６  絶縁体
７  介在
８  巻き方向が切り替わる点
９  Ｓ方向に撚り合わされた部分
１０  Ｚ方向に撚り合わされた部分
１１  溝
２１  平型ケーブル
２２  補強線
２３  ユニット
２４  介在
２５  溝
３１  平型ケーブル
３２  左撚り（Ｓ撚り）のユニット
３３  右撚り（Ｚ撚り）のユニット
【図１】
2014032931.tif 000003
【図２】
2014032931.tif 000004
【図３】
2014032931.tif 000005